(57)【要約】【課題】シール部分近傍の両側フィルムを摘み、シールを引き剥がすように左右に引っ張って開ける際に、容易に開封できるピロー形状に包装された包装体を提供することを目的とする。【解決手段】背シール部１２、天シール部１３及び地シール部１４が設けられた、プラスチックフィルムからなるピロー形状の包装体１０において、背シール部１２、天シール部１３、地シール部１４の少なくとも一つが、包装体１０の外方に向かって突出した屈曲部分Ａを有し、屈曲部分Ａの頂点Ａａの少なくとも一つが、屈曲部分Ａが設けられたシール部の長さ方向の略中央に位置することを特徴とする包装体１０。【選択図】図１
2016132491.tif 000002
【特許請求の範囲】
【請求項１】
背シール部、天シール部及び地シール部が設けられた、プラスチックフィルムからなるピロー形状の包装体において、
前記背シール部、前記天シール部、前記地シール部の少なくとも一つが、前記包装体の外方に向かって突出した屈曲部分を有し、
前記屈曲部分の頂点の少なくとも一つが、前記屈曲部分が設けられたシール部の長さ方向の略中央に位置することを特徴とする包装体。
【請求項２】
前記屈曲部分の頂点が、前記プラスチックフィルムの端縁に接している、または前記端縁から１０ｍｍ以内に位置することを特徴とする請求項１記載の包装体。
【請求項３】
前記屈曲部分が設けられたシール部のシール幅が略一定であることを特徴とする請求項１または２記載の包装体。
【請求項４】
前記屈曲部分が、前記屈曲部分が設けられたシール部の全体において凸形状に形成されていることを特徴とする請求項１〜３のいずれか一項記載の包装体。
【請求項５】
前記屈曲部分が、前記屈曲部分が設けられたシール部の一部分に凸形状に形成されていることを特徴とする請求項１〜３のいずれか一項記載の包装体。
【請求項６】
前記背シール部、前記天シール部、前記地シール部の少なくとも一つに、前記屈曲部分が連続して形成された鋸刃状に設けられていることを特徴とする請求項５記載の包装体。
【請求項７】
前記天シール部又は前記地シール部が前記屈曲部分を有しており、
前記背シール部が、前記天シール部又は前記地シール部に設けられた前記屈曲部分のシール部の長さ方向の略中央に位置する前記頂点上に位置することを特徴とする請求項１〜６のいずれか一項記載の包装体。
【発明の詳細な説明】
【技術分野】
【０００１】
本発明は、開封が容易なピロー形状の包装体に関する。
【背景技術】
【０００２】
ポテトチップス等のスナック菓子に代表されるような物品を包装する場合、連続包装に適したピロー形状の包装体としていることが多い。このピロー形状の包装体は、輸送等の過程でシール部分が剥がれないよう十分なヒートシール強度を有することが必要であるが、内容物を保護するための過剰なヒートシール強度によっては逆に消費者が利用する際、容易に手で開封することができず、鋏等の器具を使わなければならないことも少なくなかった。このため、ピロー包装された包装体を容易に開封できる手段が従来から種々検討されており、例えば、特許文献１や特許文献２などに記載のように、開封用に切り口を設けたものが提案されている。
【０００３】
しかしながら、開封用の切り口を利用して開封する場合には、ゴミが出てしまったり、開口部分から内容物を取り出しにくいといった問題があることから、消費者からはシール部分近傍の両側フィルムを摘み、シールを引き剥がすように左右に引っ張って開けたいという要望がある。
【先行技術文献】
【特許文献】
【０００４】
【特許文献１】特開２００８−２４７４２４号公報
【特許文献２】特開２００２−２２５８８２号公報
【発明の概要】
【発明が解決しようとする課題】
【０００５】
そこで、本発明においては、シール部分近傍の両側フィルムを摘み、シールを引き剥がすように左右に引っ張って開ける際に、容易に開封できるピロー形状に包装された包装体を提供することを目的とする。
【課題を解決するための手段】
【０００６】
本発明によると、上記課題を解決するための手段として、背シール部、天シール部及び地シール部が設けられた、プラスチックフィルムからなるピロー形状の包装体において、前記背シール部、前記天シール部、前記地シール部の少なくとも一つが、前記包装体の外方に向かって突出した屈曲部分を有し、前記屈曲部分の頂点の少なくとも一つが、前記屈曲部分が設けられたシール部の長さ方向の略中央に位置することを特徴とする包装体が提供される。
更に、前記屈曲部分の頂点が、前記プラスチックフィルムの端縁に接している、または前記端縁から１０ｍｍ以内に位置することを特徴とする前記包装体が提供される。
更に、前記屈曲部分が設けられたシール部のシール幅が略一定であることを特徴とする前記包装体が提供される。
更に、前記屈曲部分が、前記屈曲部分が設けられたシール部の全体において凸形状に形成されていることを特徴とする前記包装体が提供される。
【０００７】
更に、前記屈曲部分が、前記屈曲部分が設けられたシール部の一部分に凸形状に形成されていることを特徴とする前記包装体が提供される。
更に、前記背シール部、前記天シール部、前記地シール部の少なくとも一つに、前記屈曲部分が連続して形成された鋸刃状に設けられていることを特徴とする前記包装体が提供される。
更に、前記天シール部又は前記地シール部が前記屈曲部分を有しており、前記背シール部が、前記天シール部又は前記地シール部に設けられた前記屈曲部分のシール部の長さ方向の略中央に位置する前記頂点上に位置することを特徴とする前記包装体が提供される。
【発明の効果】
【０００８】
本発明は、天シール部、地シール部、背シール部の少なくとも一つが、包装体の外方に向かって突出した屈曲部分を有し、この屈曲部分の頂点が、シール部の長さ方向の略中央に位置する構成とすることにより、屈曲部分を有するシール部の略中央の内方位置（シールが施されていない包装体の内側部分）において、対向する両プラスチックフィルムを摘み、シールを剥離する方向に引っ張って開封する際の易開封性が向上するという顕著な効果を奏するものである。
【図面の簡単な説明】
【０００９】
【図１】本発明の包装体の一実施形態を示した模式図である。
【図２】図１に示す包装体の変形例を示した模式図である。
【図３】図１に示す包装体の変形例を示した模式図である。
【図４】本発明の包装体の別の実施形態を示した模式図である。
【図５】図４に示す包装体の変形例を示した模式図である。
【図６】本発明の包装体の別の実施形態を示した模式図である。
【図７】図６に示す包装体の変形例を示した模式図である。
【発明を実施するための形態】
【００１０】
以下、図面に基づき本発明を詳細に説明する。
【００１１】
図１は本発明の包装体１０の一実施形態を示す模式図である。図１に示す包装体１０は、一枚の長尺なプラスチックフィルム１１を筒状に湾曲させ、プラスチックフィルム１１の側端縁１１ａを突き合わせ熱融着して背シール部１２を形成した後、プラスチックフィルム１１を適宜長さに裁断して筒状体とし、該筒状体に形成されたプラスチックフィルム１１の天端縁１１ｂを押し重ね熱融着して天シール部１３を形成すると共に、プラスチックフィルム１１の地端縁１１ｃを押し重ね熱融着して地シール部１４を設けたピロー形状の包装体である。
そして、本発明においては、天シール部、地シール部、背シール部の少なくとも一つが、前記包装体の外方に向かって突出した屈曲部分を有し、この屈曲部分の頂点の少なくとも一つが、屈曲部分が設けられたシール部の長さ方向の略中央に位置することを特徴とするものである。
この構成にすることにより、屈曲部分を有するシール部の中央（屈曲部分の頂点）の内方位置（シールが施されていない包装体の内方部分）において、対向する両プラスチックフィルムを摘み、シールを剥離する方向に引っ張って開封する際、引っ張る力が前記屈曲部分によってシール部中央に誘導されシール部中央部分へ力が集中し、従来よりも弱い力で開封することが可能となる。
【００１２】
図１に示す実施形態においては、天シール部１３に屈曲部分Ａが設けられている。この屈曲部分Ａは、シール幅が略一定である直線状のシールが、包装体１０の外方に突出した状態に設けられ、屈曲部分Ａの頂点Ａａが天シール部１０の長さ方向Ｌの略中央に位置し、天シール部１３の長さ方向の全体において凸形状となるように形成されているものである。
この屈曲部分Ａの角度θ１は、０°＜θ１＜１８０°の範囲で適宜設定すれば良いが、９０°＜θ１＜１７０°の範囲、更には１１０°＜θ１＜１５０°の範囲とすることが開封性及び包装体１０の収納体積を大きく確保できる点から特に好ましい。
【００１３】
また、本実施形態においては、屈曲部分Ａのシール幅を略一定にしている。このことで、密封性を担保できるシール幅を選定しておけば、輸送時等においては開封されることがなく、開封時には天シール部１３の略中央が開封された後、包装体１０の折畳縁部１５の方向へのシール剥離を一定の力で行うことができる。
【００１４】
更に、包装体１０の折畳縁部１５と天シール部１３とのなす角θ２はθ２＞９０°となっている。従来の水平な天シールにおいては、包装体の折畳縁部と天シール部とのなす角θ２が略９０°であり、内圧はこの部分に集中する為、それに耐えうるシール強度を確保する必要があった。それを、包装体１０の折畳縁部１５と天シール部１３とのなす角θ２をθ２＞９０°とすることができるので、従来よりも力が集中しにくくなる。よって、その分シール強度を弱くでき、開封容易性を更に高めることができる。
【００１５】
また、本実施形態においては、図１に示すように、屈曲部分Ａの頂点Ａａが、プラスチックフィルム１１の天端縁１１ｂ上に接するように、天シール部１３が設けられている。これにより、包装体１０の収納体積を大きく確保できる。尚、本発明においては、この形状に限定されるものではなく、適宜位置にシールを施せば良いものであるが、屈曲部分Ａの頂点Ａａが包装体の端縁から１０ｍｍ以内の位置となるようにシールを施すことが、上述のように包装体１０の収納体積を大きく確保できる点から特に好ましい。
【００１６】
そして、本実施形態においては、図１に示すように、背シール部１２が、天シール部１３に設けられた屈曲部分Ａの頂点Ａａ上に位置する。この構成にすることにより、屈曲部分Ａを有するシール部の中央の内方位置において、対向する両プラスチックフィルムを掴み、シールを剥離する方向に引っ張って開封する際に、一方側は背シール部１２を掴んで引っ張ることができることから、開封がしやすくなる。
【００１７】
尚、図１に示す実施形態においては、天シール部１３全体を屈曲部分Ａとし、背シール部１２及び地シール部１４は、包装体１０の側端縁１１ａ及び地端縁１１ｃに沿った直線状であるが、本発明における屈曲部分Ａは、これらシール部１２、１３、１４の少なくとも一つに設けられているものであれば良く、地シール部１４のみ、又は図２に示すように背シール部１２のみに設けられていても良い。更には、図３に示すように、天シール部１３及び地シール部１４の双方に屈曲部分Ａが設けられていても良い。
【００１８】
図４は本発明の包装体１０の別の実施形態を示す模式図である。この実施形態においては、天シール部１３は、図１と同様に設けられたものであるが、地シール部１４が、包装体１０の内方に向かって突出した屈曲部分Ｂを有するように設けられている。そして、この地シール部１４が天シール部１３と同じ形状に設けられている。このように構成されていることで、ピロー形状の包装体を連続包装する場合に、シールバーの型が一種類で良く、連続包装性に適している。
尚、図１〜図４に示す包装体１０の正面形状は方形状のものであるが、図５に示すように、天シール部１３及び地シール部１４のシール位置に沿ってプラスチックフィルム１１をカットした形状に設けても良い。
【００１９】
以上は、屈曲部分Ａがシール部の長さ方向の全体において１つの凸部となるように形成しているものについて説明したが、本発明においては、これに限定されるものではなく、屈曲部分Ａがシール部の少なくとも一部に凸状に形成されていれば良いものである。図６〜８にその例を示す。
【００２０】
図６は本発明の包装体１０の別の実施形態を示す模式図である。
図６に示す包装体１０は、天シール部１３の略中央の一部に屈曲部分Ａを設けたものである。そして、この屈曲部分Ａの頂点Ａａが、天シール部１３の長さ方向Ｌの略中央に位置するように設けられている。この構成は、図１に示すような天シール部１３の長さ方向の全体で凹部となる屈曲部Ａと比べると、開封時の中央への応力集中の点では劣るものであるが、包装体１０の収納体積を大きく確保できる点で好ましい。
尚、図６に示す包装体１０は、天シール部１３が設けられた天端縁１１ｂが鋸刃状に形成されている。このように鋸刃状の端縁とすることで、包装体１０の開封のバリエーションが増え、消費者は、どのように開封するかを選択できるようになる。尚、本実施形態においては、端縁を鋸刃状に形成することを示したが、これに限定されるものではなく、例えば、Ｉ字状またはＶ字状のノッチを設けたり、多数の微細孔を設けるなど、従来公知の易開封性手段を設けることでも良い。
更に、図７に示すように、天シール部１３に、屈曲部分Ａが連続して形成された鋸刃状に設けられていることであっても良い。
【００２１】
本発明におけるプラスチックフィルムは、従来の包装用途に用いられているものであれば特に限定なく用いることができ、単層であっても多層であっても良い。多層のプラスチックフィルムとしては基材層と最内層の２層構成が挙げられ、最内層として、例えば、低密度ポリエチレンフィルム、直鎖状低密度ポリエチレンフィルム、高密度ポリエチレンフィルム、ポリプロピレンフィルム、エチレン−プロピレンランダム共重合体フィルム等のシーラント用フィルムが好ましい。
また、基材層としては、基材用プラスチックフィルム、アルミニウムなどの金属箔、紙等が挙げられる。基材用プラスチックフィルムとしては、ポリエチレンテレフタレートフィルム、ナイロンフィルム、ナイロン／エチレン−ビニルアルコール共重合体／ナイロンの積層フィルム、これらの一軸あるいは二軸延伸フィルム等を用いることができる。また、基材層に更に最外層を設けることであっても良い。
これら多層のプラスチックフィルムを製造する方法においても特に限定されず、ドライラミネーション法、押出ラミネーション法、共押出法等の従来公知の積層方法を採用することができる。
【００２２】
前述したプラスチックフィルムから包装体を製造する方法も特に限定されるものではなく、通常のピロー包装においてシールバーの形状を変更することにて行うことができる。
【産業上の利用可能性】
【００２３】
本発明の包装体は、物品をピロー包装する包装される包装体に用いることができる。収容する物品としては、スナック類等の食品が好適に用いることができ、特に、食品の酸化劣化を防止する為に窒素を充填して密封した包装体に好適に用いることができる。
【符号の説明】
【００２４】
１０  包装体
１１  プラスチックフィルム
１１ａ  側端縁
１１ｂ  天端縁
１１ｃ  地端縁
１２  背シール部
１３  天シール部
１４  地シール部
１５  折畳縁部
Ａ  屈曲部分（包装体の外向に突出した形状）
Ａａ  頂点
Ｂ  屈曲部分（包装体の内方に突出した形状）
【図１】
2016132491.tif 000003
【図２】
2016132491.tif 000004
【図３】
2016132491.tif 000005
【図４】
2016132491.tif 000006
【図５】
2016132491.tif 000007
【図６】
2016132491.tif 000008
【図７】
2016132491.tif 000009